(57)【要約】【課題】輝度ムラを抑えつつ、正面輝度を向上できるバックライト装置を提供する。【解決手段】  バックライト装置の面光源上には光学シート３０が敷設される。光学シート３０は、面光源と対向する基材３１と、基材３１上に形成される反射層３２とを備える。反射層３２は、複数の無機粒子を含有した樹脂からなり、その表面で光を散乱する。反射層３２はさらに、複数の貫通孔３３を有する。貫通孔３２は、反射層３２の主面３２１から主面と反対側の裏面に至る深さを有する。【選択図】図３
2010165533.tif 000002
【特許請求の範囲】
【請求項１】
面光源と、
面光源上に敷設される光学シートとを備え、
前記光学シートは、
前記面光源と対向する裏面と、前記裏面と反対側の主面と、各々が前記主面から前記裏面に至る複数の貫通孔とを有する反射層を備えることを特徴とするバックライト装置。
【請求項２】
請求項１に記載のバックライト装置であって、
前記貫通孔の幅は、前記主面から前記裏面に向かって狭くなることを特徴とするバックライト装置。
【請求項３】
請求項１又は請求項２に記載のバックライト装置であって、
前記裏面に形成された前記貫通孔の開口部の面積を正方形に換算して得られる１辺の長さは、前記貫通孔の深さ以下であることを特徴とするバックライト装置。
【請求項４】
バックライト装置の面光源上に敷設されるバックライト装置用光学シートであって、
裏面と、前記裏面と反対側の主面と、各々が前記主面から前記裏面に至る複数の貫通孔とを有する反射層を備えることを特徴とする光学シート。
【請求項５】
請求項４に記載の光学シートであって、
前記貫通孔の幅は、前記主面から前記裏面に向かって狭くなることを特徴とする光学シート。
【請求項６】
請求項４又は請求項５に記載の光学シートであって、
前記裏面に形成された前記貫通孔の開口部の面積を正方形に換算して得られる１辺の長さは、前記貫通孔の深さ以下であることを特徴とする光学シート。
【発明の詳細な説明】
【技術分野】
【０００１】
本発明は、バックライト装置に関し、さらに詳しくは、液晶ディスプレイに代表される表示装置に用いられるバックライト装置に関する。
【背景技術】
【０００２】
液晶ディスプレイに代表される表示装置は、高い正面輝度を求められる。そのため、表示装置に搭載されるバックライト装置は、正面輝度を向上できる光学シートを備える。特許第３２６２２３０号公報（特許文献１）に開示されるように、代表的な光学シートとしてプリズムシートが利用される。
【０００３】
また、表示装置では、輝度ムラが発生しない方が好ましい。たとえば、直下型のバックライト装置のように、その内部に、互いに配列された複数の線光源が収納されている場合、線光源直上で正面輝度が最も高く、互いに隣り合う線光源間の中央で正面輝度が最も低い。また、最近ではＬＥＤ（Light Emitting Diode）を利用したエッジライト型のバックライト装置も登場しているが、ＬＥＤは点光源であるため、各ＬＥＤの光量のばらつき等により輝度ムラが発生する場合もある。このような輝度ムラを抑制するため、バックライト装置では一般的に、プリズムシートの下に拡散板が敷設される。これにより、輝度ムラを抑えつつ、正面輝度を向上できる。
【０００４】
しかしながら、最近、輝度ムラのさらなる低減が求められている。輝度ムラを低減するために、拡散板のヘイズ値を高めるという方法もある。しかしながらこの場合、正面輝度が低下する。
【先行技術文献】
【特許文献】
【０００５】
【特許文献１】特許第３２６２２３０号公報
【発明の概要】
【発明が解決しようとする課題】
【０００６】
本発明の目的は、輝度ムラを抑えつつ、正面輝度を向上できるバックライト装置を提供することである。
【課題を解決するための手段及び発明の効果】
【０００７】
本発明によるバックライト装置は、面光源と、面光源上に敷設される光学シートとを備える。光学シートは、反射層とを備える。反射層は、面光源と対向する裏面と、裏面と反対側の主面と、各々が主面から裏面に至る複数の貫通孔とを有する。
【０００８】
本発明によるバックライト装置では、面光源から出射した光のうち、光学シートの貫通孔に進入した光は外部に出射するが、それ以外の光は反射層で反射して面光源に戻る。そして、面光源内で再び反射して外部に出射する。つまり、貫通孔に進入できない光は光学シートと面光源の間で反射を繰り返す。面光源内の複数の点光源又は線光源から出射した光が反射を繰り返すことにより、面光源内の光の分布の偏りが抑制され、輝度ムラが抑制される。さらに、貫通孔に進入した光のうち、バックライト装置の正面方向から大きく傾いた方向に進行する光は貫通孔の側面に入射する。貫通孔の側面は反射層により形成されているため、入射光は貫通孔の側面で反射及び散乱し、そのうちのいくつかの光が正面方向に出射する。そのため、正面輝度が向上する。
【０００９】
好ましくは、貫通孔の幅は、反射層の主面から裏面に向かって狭くなる。
【００１０】
この場合、貫通孔の側面に入射した光のうち、反射及び散乱によりバックライト装置の正面方向に向かう光の割合をある程度増やすことができる。そのため、正面輝度が向上する。
【００１１】
好ましくは、裏面に形成された貫通孔の開口部の面積を正方形に換算して得られる１辺の長さは、貫通孔の深さ以下である。
【００１２】
この場合、正面輝度がより向上する。
【００１３】
本発明による光学シートは、上述のバックライト装置に利用される。
【図面の簡単な説明】
【００１４】
【図１】本発明の実施の形態によるバックライト装置を含む表示装置の斜視図である。
【図２】図１中の線分ＩＩ−ＩＩの断面図である。
【図３】図１中の光学シートの斜視図である。
【図４】図３に示す光学シートの上面図である。
【図５】図３中の線分Ｖ−Ｖの断面図である。
【図６】図３に示す光学シート内の光路を説明するための模式図である。
【図７】拡散板を備えたバックライト装置の輝度ムラを示す図である。
【図８】拡散板とプリズムシートとを備えたバックライト装置の輝度ムラを示す図である。
【図９】拡散板と図３に示した光学シートとを備えたバックライト装置の輝度ムラを示す図である。
【図１０】図６と異なる、図３に示す光学シート内の光路を説明するための他の模式図である。
【図１１】プリズムシートと拡散板とを備えたバックライト装置の輝度角度特性を示す図である。
【図１２】本発明による光学シートと拡散板とを備えたバックライトの輝度角度特性を示す図である。
【図１３】拡散板を備えたバックライト装置の輝度角度特性を示す図である。
【発明を実施するための形態】
【００１５】
以下、図面を参照し、本発明の実施の形態を詳しく説明する。図中同一又は相当部分には同一符号を付してその説明は繰り返さない。
【００１６】
［全体構成］
図１及び図２を参照して、表示装置１は、本発明の実施の形態によるバックライト装置１０と、バックライト装置１０の正面に敷設される液晶パネル２０とを備える。バックライト装置１０は、拡散光を出射する面光源１６と、本実施の形態による光学シート３０とを備える。
【００１７】
［面光源の構成］
面光源１６は、ハウジング１１と、複数の線光源１２と、拡散板１３とを備える。ハウジング１１は、正面に開口部１１０を有する筐体であり、内部に複数の線光源１２を収納する。ハウジング１１の内面には、反射部材１１１が敷設されている。反射部材１１１は、シート状又はフィルム状である。反射部材１１１は、線光源１２から出射した光を乱反射させ、開口部１１０に導く。反射部材１１１は、たとえば、株式会社東レ製の商品名ルミラー（登録商標）Ｅ６０ＬやＥ６０Ｖである。反射部材１１１の拡散反射率は９５％以上であるのが好ましい。
【００１８】
複数の線光源１２は、ハウジング１１の内側背面手前に上下方向（図１中のｙ方向）に並設される。線光源１２は左右方向（図１中のｘ方向）に延在する。線光源１２はたとえば冷陰極管等の蛍光管である。なお、一部又は全ての線光源１２に代えてＬＥＤ(Light Emitting Device)等の複数の点光源をハウジング１１内に収納してもよい。
【００１９】
拡散板１３は、開口部１１０に嵌め込まれ、ハウジング１１の背面と並行して配設される。拡散板１３は、線光源１２からの光及び反射部材１１１で乱反射された光を拡散して正面に出射する。拡散板１３は、透明な基材と、基材内に分散された複数の粒子とで構成される。基材内に分散された粒子は、可視光領域の波長の光に対する屈折率が基材と異なる。そのため、拡散板１３に入射した光は拡散透過される。拡散板１３の基材はたとえば、ガラスや、ポリエステル系樹脂、ポリカーボネート系樹脂、ポリアクリル酸エステル系樹脂、ポリ酢酸ビニル系樹脂、ポリエーテルスルホン酸系樹脂、トリアセチルセルロース系樹脂等の樹脂である。拡散板１３はまた、光学シート３０の支持体としても機能する。
【００２０】
拡散板１３を開口部１１０に嵌め込むことにより、ハウジング１１の内部は密閉される。そのため、線光源１２からの光が拡散板１３以外の箇所からハウジング１１外に漏れるのを防止でき、光の利用効率が向上する。
【００２１】
［光学シートの構成］
図３〜図５を参照して、光学シート３０は、基材３１と、反射層３２とを備える。基材３１は、可視光に対して実質的に透明であり、シート状又はフィルム状である。基材３１は、面光源１６と対向する表面３１１と、表面３１１と反対側であって反射層３２が形成される表面３１２とを有する。基材３１の素材は樹脂であり、たとえば、ポリエステル系樹脂、ポリカーボネート系樹脂、ポリアクリル酸エステル系樹脂、脂環式ポリオレフィン系樹脂、ポリスチレン系樹脂、ポリ塩化ビニル系樹脂、ポリ酢酸ビニル系樹脂、ポリエーテルスルホン酸系樹脂、トリアセチルセルロース系樹脂等である。
【００２２】
反射層３２は、基材３１の表面３１２上に形成される。反射層３２は、表面３１２と対向する、換言すれば、面光源１６と対向する裏面３２２と、裏面３２２と反対側の主面３２１とを有する。反射層３２はさらに、複数の貫通孔３３を有する。貫通孔３３は、反射層３２の主面３２１から裏面３２２に至る深さを有する。貫通孔３３の２つの開口部のうち、主面３２１に形成される開口部（以下、上面開口部という）３３１と、裏面３２２に形成される開口部（以下、下面開口部という）３３２とは、ともに正方形状である。上面開口部３３１は下面開口部３３２よりも大きい。つまり、貫通孔３３の幅は、主面３２１から裏面３２２に向かうにつれて徐々に狭くなる。
【００２３】
反射層３２は、可視光を散乱及び反射する素材で形成される。具体的には、反射層３２は、複数の無機粒子と、バインダ樹脂とを含有する。無機粒子は、バインダ樹脂と異なる屈折率を有する。無機粒子はたとえば、酸化チタン、硫酸バリウム、酸化亜鉛、酸化アルミニウム等の白色顔料である。また、無機粒子の代わりにアクリル又はガラス製の中空粒子をバインダ樹脂に含有してもよい。また、アルミニウムや銀等の金属粒子をバインダ樹脂に含有してもよい。
【００２４】
バインダ樹脂は、たとえば、紫外線や電子線等の電離放射線で硬化する電離放射線硬化樹脂である。電離放射線硬化樹脂はたとえば、電離放射線硬化樹脂はたとえば、ポリエステル系アクリレート樹脂、ウレタン系アクリレート樹脂、ポリエーテル系アクリレート樹脂、エポキシ系アクリレート樹脂、ポリエステル系メタクリレート樹脂、ウレタン系メタクリレート樹脂、ポリエーテル系メタクリレート樹脂、エポキシ系メタクリレート樹脂である。バインダ樹脂はまた、上述の電離放射線硬化樹脂に代えて、溶剤に可溶であって乾燥させることで形成される樹脂であってもよい。
【００２５】
［光学シートの作用］
光学シート３０は、バックライト装置１０の輝度ムラを抑制し、かつ、正面輝度を向上する。以下、光学シート３０の作用について詳述する。
【００２６】
［輝度ムラの抑制］
図６を参照して、裏面３２２は、下面開口部３３２が形成された領域を除いて面光源１６からの複数の光線Ｒを散乱及び反射する。つまり、面光源１６からの光線Ｒは、下面開口部３３２からのみ外部に出射できる。裏面３２２により散乱及び反射した光線Ｒは、面光源１６に戻る。面光源１６内に戻った光線Ｒは、ハウジング１１の内面に敷設された反射部材１１１に入射して、散乱及び反射する。そして、面光源１６から再び出射する。要するに、線光源１２から出射した光線Ｒは、そのまま光学シート３０を透過して外部に出射するのではなく、バックライト装置１０内に散乱及び反射を複数回繰り返す。散乱及び反射の繰り返しにより、面光源１６内の線光源１２の配列位置に起因した輝度ムラは解消される。線光源１２の代わりに複数の点光源がハウジング１１内に配設される場合も同様である。
【００２７】
図７は面光源１６の上下方向（Ｙ方向）における正面輝度分布である。図中の横軸は、面光源１６の正面中央を原点としたときの原点からの距離を示し、プラス（＋）は、原点よりも上側（＋ｙ方向）、マイナス（−）は原点よりも下側（−ｙ方向）を示す。また、縦方向は各位置での相対輝度を示す。相対輝度は、測定した輝度のうち最大輝度に対する各位置での輝度の比である。
【００２８】
図７を参照して、面光源１６のＹ方向における輝度分布は不均一であり、輝度ムラが発生している。面光源１６の拡散板１３では、各線光源１２から出射した光が拡散するものの、拡散板１３で散乱及び反射して線光源１２側に戻る光の割合が少ない。そのため、線光源１２が配置された位置での相対輝度が高く、隣り合う線光源１２の中間位置の相対輝度が低い。相対輝度の最大値と最小値との差は０．０６程度となっている。
【００２９】
次に、面光源１６上にプリズムシートを敷設したバックライト装置のＹ方向における正面輝度分布を図８に示す。図８を参照して、プリズムシートを備えるバックライト装置は、面光源１６よりも輝度ムラを抑制しており、相対輝度の最大値と最小値との差は０．０３程度となっている。線光源１２から出射した光のうちのいくらかは、プリズムシートのプリズム表面で全反射し、面光源１６に再び戻る。そのため、線光源１２から出射した光のうち、面光源１６に戻る光の割合が多くなる。その結果、輝度ムラが抑制されると推定される。
【００３０】
本実施の形態による光学シート３０を備えたバックライト装置１０のＹ方向における正面輝度分布を図９に示す。図８と比較して、バックライト装置１０では輝度ムラがさらに抑制されており、相対輝度の最大値と最小値との差は０．０１５程度となっている。各線光源１２から出射された光の多くが、裏面３２２で散乱及び反射して面光源１６に戻り、反射層３２と反射部材１１１との間を複数回往復する。そのため、輝度が均斉化され、輝度ムラが抑制されると推定される。
【００３１】
［正面輝度の向上］
光学シート３０は、輝度ムラを抑制できるだけでなく、正面輝度も向上できる。図１０を参照して、面光源１６からの出射光のうち、基材３１を通過できるのは、下面開口部３３２から貫通孔３３に進入した光線のみである。貫通孔３３に進入した光線のうち、貫通孔３３の側面３３３に当たることなく外部に出射する光線Ｒ１の進行方向は、バックライト装置１０の正面方向又はそれに近い方向となる。つまり、光線Ｒ１の進行方向と、面光源１６の法線方向Ｎ１６（つまり、バックライト装置１０の正面方向）との傾斜角Ａｎは小さい。そのため、光線Ｒ１はバックライト装置１０の正面輝度を向上する。さらに、貫通孔３３に進入した光線のうち、傾斜角Ａｎが大きい光線Ｒ２は、貫通孔３３の側面３３３に入射する。側面３３３は反射層３２で構成されているため、光線Ｒ２は側面３３３で散乱及び反射する。そして、散乱及び反射した光線のいくつかは、バックライト装置１０の正面方向に進行する。したがって、傾斜角Ａｎが大きい光線Ｒ２も正面輝度の向上に寄与する。つまり、光学シート３０は、光線Ｒ１に加えて、光線Ｒ２を側面３３３での散乱及び反射することにより正面輝度をより向上できる。
【００３２】
［輝度角度特性］
光学シート３０はさらに、自然な輝度分布を示す輝度角度特性を有する。図１１は面光源１６上にプリズムシートが敷設されたバックライト装置の輝度角度特性を示す。横軸は視野角（°）を示す。視野角は、バックライト装置の正面の法線方向を０度軸とし、０度軸から上下方向（ｙ方向）への傾き角を上下視野角、０度軸から左右方向（ｘ方向）への傾き角を左右視野角とする。左右視野角のうち、法線から右方向への傾き角（視野角）をプラス（＋）で示し、法線から左方向への傾き角（視野角）をマイナス（−）で示す。同様に、上下視野角のうち、法線から上方向への傾き角（視野角）をプラス（＋）で示し、法線から下方向への傾き角（視野角）をマイナス（−）で示す。縦軸は、各視野角での輝度（ｃｄ／ｍ２）を示す。図中の実線は左右視野角での輝度を示し、破線は上下視野角での輝度を示す。なお、各上下視野角及び左右視野角の輝度は輝度計により測定した。輝度の測定箇所は、表示画面の中央部とした。
【００３３】
図１１を参照して、プリズムシートが敷設されたバックライト装置では、上下視野角において、±約３０ｄｅｇの範囲の輝度が高くなる。さらに、正面斜め方向の視野角±８０ｄｅｇ付近でも輝度が高くなる、いわゆるサイドローブが形成される。サイドローブは、傾斜角Ａｎの大きい光線Ｒ２が外部に出射することにより形成される。そして、サイドローブは表示装置を見るユーザに違和感を与える場合がある。
【００３４】
光学シート３０は、輝度角度特性において、このようなサイドローブの発生を抑制できる。上述のとおり、光学シート３０では、傾斜角Ａｎが大きな光線Ｒ２は直接外部に出射せず、貫通孔３３の側面３３３にいったん当たって散乱及び反射する。そのため、図１２に示すように、バックライト装置１０の輝度角度特性では、上下視野角及び左右視野角ともにサイドローブが発生しない。バックライト装置１０の輝度角度特性では、０°軸で輝度がピークを示し、視野角の増大とともに輝度が低下する自然な輝度分布が形成される。
【００３５】
なお、複数の貫通孔３３が図４に示すようにマトリックス状に配列されれば、図１２に示すように、上下視野角の輝度角度特性が左右視野角と同等になる。
【００３６】
光学シート３０を図４に示すように真上から見た場合の光学シート３０の全面積に対する下面開口部３３２の総面積の割合を開口率（単位は％）と定義する。好ましい開口率は５〜２５％である。開口率が２５％を超えると、傾斜角Ａｎの大きな光線Ｒ２が側面３３３に当たることなくそのまま外部に出射する割合が多くなる。そのため、正面輝度が向上しにくい。また、開口率が５％未満の光学シートは、後述のロール版による製造方法では製造しにくい。なお、開口率が上記範囲外であっても、輝度ムラは解消される。
【００３７】
また、下面開口部３３２の面積を正方形換算した場合の１辺の長さをＷと定義する。本例では、下面開口部３３２は正方形状であるため、Ｗは下面開口部３３２の１辺の長さとなる。さらに、貫通孔３３の深さ（つまり、反射層３２の厚さ）をＨと定義する。このとき、好ましくは、光学シート３０は以下の式（１）を満たす。
【００３８】
Ｈ／Ｗ≧１．０  （１）
この場合、光学シート３０はプリズムシートと同等以上の正面輝度を有する。なお、光学シート３０には複数の貫通孔３３が存在するため、Ｗ及びＨは各貫通孔３３で得られた値の平均値とする。
【００３９】
また、ｘ方向又はｙ方向の断面における各貫通孔３３の側面３３３と主面３２１とがなす角度Ａ３３は、好ましくは７０〜８５°である。角度Ａ３３が７０°未満になれば、側面３３３に入射した光のうち、全反射して正面方向に向かう光の割合が少なくなり、正面輝度が向上しにくくなる。一方、角度Ａ３３が８５°を超えれば、側面３３３に入射した光が正面方向に反射しにくくなる。ただし、角度Ａ３３は９０°以下であればよい。
【００４０】
上述の上面及び下面開口部３３１及び３３２の形状は正方形であったが、正方形以外のであってもよい。たとえば、上面及び下面開口部３３１及び３３２の形状が、長方形等の矩形状であってもよいし、三角形、五角形及び６角形等の多角形であってもよい。また、円形状や楕円形状であってもよい。下面開口部３３２の形状が正方形以外の場合、上述のとおり、下面開口部３３２の面積を正方形換算して得られた１辺の長さを上述の開口幅Ｗと定義する。
【００４１】
また、上述の実施の形態では、バックライト装置を直下型としたが、光学シート３０をエッジライト型のバックライト装置に利用しても同様の効果が得られる。
【００４２】
また、光学シート３０は、必ずしも基材３１を必要とせず、反射層３２から構成されるものであってもよい。
【００４３】
［光学シートの製造方法］
光学シート３０の製造方法の一例を説明する。初めに、ロール版を準備する。ロール版は、反射層３２の複数の貫通孔３３に対応した凹凸が形成された外周面を有する。また、基材３１に相当する基材フィルムを準備する。ダイコータにより、複数の無機粒子を含有した電離放射線硬化樹脂を基材フィルムに塗布する。そして、電離放射線硬化樹脂層が形成された基材フィルムをロール版に押し当てる。このとき、ロール版に接触している電離放射線硬化樹脂層に電離放射線を照射して電離放射線硬化樹脂層を硬化し、反射層を形成する。以上の工程により、光学シート３０が製造される。
【００４４】
上述の製造方法では、電離放射線硬化樹脂を基材３１上に塗布したが、電離放射線硬化樹脂をロール版の外周面上に塗布して電離放射線硬化樹脂層を形成してもよい。また、ロール版の表面と基材３１の表面とに、それぞれ電離放射線硬化樹脂を塗布してもよい。また、上述の製造方法では、ロール版を用いたが、板状の平版を用いてもよい。
【実施例】
【００４５】
図３〜図５に示す構成を有する試験番号１〜５の光学シートと試験番号６のプリズムシートを製造し、正面輝度を調査した。
【００４６】
試験番号１〜５の光学シートは次の方法で製造した。初めに、試験番号１〜５の光学シート用の複数のロール版を準備した。また、酸化チタン粒子を４０重量％含有した紫外線硬化樹脂を準備した。準備した樹脂をダイコータを用いて各ロール版の表面に塗布した。次に、厚さ１００μｍの複数のポリエチレンテレフタレート（ＰＥＴ）フィルムを準備した。各ＰＥＴフィルムを各ロール版に押し当てながら紫外線を照射し、複数の貫通孔を有する反射層をＰＥＴフィルム上に形成し、試験番号１〜５の光学シートを製造した。
【００４７】
製造後の試験番号１〜５の光学シートの上面開口部及び下面開口部の形状は、いずれも正方形であった。また、各光学シートの下面開口部の１辺長さＷと貫通孔の深さＨは表１に示すとおりであった。なお、各光学シートの開口率は１５％であった。また、各光学シートの貫通孔の側面と反射層の表面とがなす角度Ａ３３はいずれも８０°であった。
【表１】
2010165533.tif 000003
試験番号６のプリズムシートは次に示す方法により作成した。厚さ１００μｍのＰＥＴフィルム上に厚さ３０μｍの紫外線硬化樹脂層をダイコータにより形成した。横断面形状が２等辺三角形の溝を有するロール版を用いてプリズムシートを製造した。製造されたプリズムシート上の各プリズムの横断形状は二等辺三角形であった。また、プリズムのピッチは５０μｍであり、各プリズムの頂角は９０°であった。隣り合うプリズムは互いに接触していた。
【００４８】
［輝度角度分布調査］
試験番号１〜７のバックライト装置を製造した。複数の冷陰極管を収納し、内面に反射フィルムが敷設され、開口部に拡散板が嵌着された複数のハウジング（面光源）を準備した。各ハウジングに試験番号１〜６の光学シート及びプリズムシートを敷設し、試験番号１〜６のバックライト装置を製造した。このとき、プリズムの並設方向は、上下方向（図１中のｙ方向）とした。つまり、プリズムの並設方向は、複数の冷陰極管の並設方向と同じとした。また、試験番号７のバックライト装置は、光学シートやプリズムシートを敷設しない面光源とした。
【００４９】
試験番号１〜７のバックライト装置の輝度角度特性を調査した。視野角は、バックライト装置の正面方向（光学シートの法線方向）を０度軸とし、０度軸から上下方向への傾き角を上下視野角、左右方向への視野角を左右視野角とした。上下視野角及び左右視野角の輝度は輝度計により測定した。また、試験番号１〜７のバックライト装置の正面輝度を求めた。求めた正面輝度のうち、試験番号７のバックライト装置の正面輝度に対する各試験番号のバックライト装置の正面輝度の比（以下、正面輝度比という）を求めた。求めた正面輝度比を表１に示す。
【００５０】
試験番号１のバックライト装置の輝度角度特性を図１２に示す。また試験番号６のバックライト装置の輝度角度特性を図１１に、試験番号７のバックライト装置の輝度角度特性を図１３にそれぞれ示す。図１１〜図１３を参照して、試験番号６のバックライト装置の輝度角度特性では、上下視野角の±８０°付近にサイドローブが発生した。これに対して、試験番号１及び７のバックライト装置の輝度角度特性では、上下視野角及び左右視野角ともに、サイドローブは発生しなかった。特に、試験番号１のバックライト装置の輝度角度特性は、０°を輝度ピークとして視野角が大きくなるにつれ輝度が徐々に低下する自然な輝度分布を示した。
【００５１】
また、表１に示すように、試験番号１〜５のバックライト装置の正面輝度は、いずれも、試験番号７のバックライト装置よりも高く、本発明による光学シートにより正面輝度が向上した。また、Ｈ／Ｗが１．０以上となる試験番号４及び５のバックライト装置の正面輝度は、プリズムシートを搭載した試験番号６のバックライト装置の正面輝度以上であった。
【００５２】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【符号の説明】
【００５３】
１  表示装置
１０  バックライト装置
１１  ハウジング
１２  線光源
１３  拡散板
１６  面光源
３０  光学シート
３１  基材
３２  反射層
３３  貫通孔
１１１  反射層
３２１  主面
３２２  裏面
３３１  上面開口部
３３２  下面開口部
【図１】
2010165533.tif 000004
【図２】
2010165533.tif 000005
【図３】
2010165533.tif 000006
【図４】
2010165533.tif 000007
【図５】
2010165533.tif 000008
【図６】
2010165533.tif 000009
【図７】
2010165533.tif 000010
【図８】
2010165533.tif 000011
【図９】
2010165533.tif 000012
【図１０】
2010165533.tif 000013
【図１１】
2010165533.tif 000014
【図１２】
2010165533.tif 000015
【図１３】
2010165533.tif 000016